(57)【要約】【課題】奥行きが大きくても仕切り板の掛け違えを防止可能な物品移動具を提供する。【解決手段】物品移動具１は、ローラー１０と、ローラーの一部を突出させてローラーを回転自在に収容するローラー収容部材３と、ローラー収容部材においてローラーの一部が突出している物品移動領域８８を区切るようにローラー収容部材に立てられる仕切り板５５と、を備える。物品移動領域内の物品移動具１には、仕切り板の下部を案内する仕切り板ガイド部９５が形成されている。【選択図】図１
2020048937.tif 000002
【特許請求の範囲】
【請求項１】
ローラーと、
前記ローラーの一部を突出させて前記ローラーを回転自在に収容するローラー収容部材と、
前記ローラー収容部材において前記一部が突出している物品移動領域を区切るように前記ローラー収容部材に立てられる仕切り板と、
を備え、
前記物品移動領域内には前記仕切り板を案内する仕切り板ガイド部が形成されている物品移動具。
【請求項２】
前記ローラーは中心軸に沿って間隔をあけて配置可能な複数の小ローラー部を備え、
前記小ローラー部同士の間に前記仕切り板ガイド部が形成されている、
請求項１に記載の物品移動具。
【請求項３】
前記仕切り板ガイド部は、前記ローラーの全周にわたって径方向の内側に凹む第１の溝である、
請求項１又は２に記載の物品移動具。
【請求項４】
前記仕切り板ガイド部は前記仕切り板の下部を受け入れて前記仕切り板を案内する、
請求項１から３の何れか一項に記載の物品移動具。
【請求項５】
前記仕切り板ガイド部が仕切り板ガイド補助部として前記ローラー収容部材に形成されている、
請求項１から４の何れか一項に記載の物品移動具。
【請求項６】
前記ローラー収容部材は、
前記ローラーを収容するローラー収容空間が形成されたローラー支持部材と、
前記ローラー支持部材に取り付け可能且つ前記ローラー支持部材から取り外し可能であって、前記ローラーの一部を前記ローラー収容部材から突出させた状態で前記ローラーを保持するローラー保持部材と、
を備え、
前記ローラー支持部材及び前記ローラー保持部材の少なくとも一方に前記仕切り板ガイド部が形成されている、
請求項５に記載の物品移動具。
【請求項７】
前記仕切り板ガイド部は、前記仕切り板の長手方向に沿って前記ローラー収容部材に形成された第２の溝である、請求項１から６の何れか一項に記載の物品移動具。
【請求項８】
前記第２の溝の幅は前記仕切り板の下部の幅と同じである、
請求項７に記載の物品移動具。
【請求項９】
前記ローラー収容部材には、所定の方向において前記物品移動領域をローラー収容空間に区画する小区画壁が設けられ、
前記所定の方向において１つの前記ローラー収容空間には１つの前記ローラーが収容されている、
請求項１から８の何れか一項に記載の物品移動具。
【請求項１０】
一部を突出させてローラー収容部材に回転自在に収容され、前記一部が前記ローラー収容部材から突出している物品移動領域を区切るように前記ローラー収容部材に仕切り板が立てられている物品移動具に用いられる物品移動具用のローラーであって、
全周にわたって径方向の内側に凹む第１の溝が形成され、
前記第１の溝は前記仕切り板の下部を受け入れ可能である物品移動具用のローラー。
【請求項１１】
ローラーの一部を突出させて前記ローラーを回転自在に収容するローラー収容部材を構成し、前記一部が前記ローラー収容部材から突出している物品移動領域を区切るように前記ローラー収容部材に仕切り板が立てられている物品移動具に用いられる物品移動具用のローラー支持部材であって、
前記ローラーを収容するローラー収容空間が形成され、
前記ローラーを前記ローラー収容空間に保持するローラー保持部材を取り付け可能且つ取り外し可能に構成され、
前記仕切り板を案内する仕切り板ガイド部が形成されている物品移動具用のローラー支持部材。
【請求項１２】
前記仕切り板ガイド部が前記仕切り板の長手方向に沿って形成された第２の溝として形成されている請求項１１に記載の物品移動具用のローラー支持部材。
【請求項１３】
ローラーの一部を突出させて前記ローラーを回転自在に収容するローラー収容部材を構成し、前記一部が前記ローラー収容部材から突出している物品移動領域を区切るように前記ローラー収容部材に仕切り板が立てられている物品移動具に用いられる物品移動具用のローラー保持部材であって、
前記ローラーを収容するローラー収容空間が形成されたローラー支持部材に取り付け可能且つ前記ローラー支持部材から取り外し可能であり、
前記仕切り板を案内する仕切り板ガイド部が形成されている物品移動具用のローラー保持部材。
【請求項１４】
前記仕切り板ガイド部は、前記仕切り板の長手方向に沿って形成された第２の溝として形成されている請求項１３に記載の物品移動具用のローラー保持部材。
【請求項１５】
請求項１から９の何れか一項に記載の物品移動具を一以上備えている陳列棚。
【請求項１６】
請求項１０に記載の物品移動具用のローラーを一以上備えている陳列棚。
【請求項１７】
請求項１１又は１２に記載の物品移動具用のローラー支持部材を一以上備えている陳列棚。
【請求項１８】
請求項１３又は１４に記載の物品移動具用のローラー保持部材を一以上備えている陳列棚。
【発明の詳細な説明】
【技術分野】
【０００１】
本発明は、物品移動具、物品移動具用のローラー、物品移動具用のローラー支持部材、物品移動具用のローラー保持部材、陳列棚に関する。
【背景技術】
【０００２】
コンビニエンスストアーやスーパー等の店舗では、複数の商品等の物品を陳列して販売する際に、複数のローラーを備えた物品移動具や、物品移動具を備えた陳列棚が使用されている。複数の物品は、物品移動具において購入者に近い前側から購入者から遠い後側に向かって、列を作り、並べられる。物品移動具は、前側に移動するにしたがって下降するように、適度に傾斜した状態で陳列棚に設けられている。購入者が前側に載置された物品を物品移動具から取り除くと、物品が取り除かれたことによって生じる空間に、後側の別の物品が複数のローラーの周面上をすべりながら自然に移動する。
【０００３】
複数の物品を前後方向に沿って整列させるために、物品移動具や陳列棚では仕切り板が用いられている。特に物品の種類が複数ある場合は、互いに異なる種類の物品同士の間に仕切り板が設けられている。このような仕切り板の前側の端部及び後側の端部には、下側に突出する突起が設けられている。物品移動具の前側の端部及び後側の端部には、仕切り板の突起を挿入可能な穴或いは溝が左右方向に沿って複数形成されている。物品移動具の前側の穴とその穴に対応する後側の穴に、仕切り板の前側の突起と後側の突起を挿入することによって、物品移動具において物品を並べる空間を所望のように仕切ることができる。
【０００４】
例えば、特許文献１には、仕切り板の突起を挿入可能な係合穴部（穴）が前側の端部及び後側の端部に互いに間隔をあけて複数形成されている商品陳列ユニット（物品移動具）が開示されている。特許文献１の商品陳列ユニットでは、商品陳列ユニットの前側及び後側のそれぞれの端部において、隣り合う係合穴部の前後方向の位置が互いに異なる。
【先行技術文献】
【特許文献】
【０００５】
【特許文献１】特許第３１２６９４７号公報
【発明の概要】
【発明が解決しようとする課題】
【０００６】
特許文献１の商品陳列ユニットでは、隣り合う係合穴部の前後方向の位置が異なることによって、仕切り板の掛け違えを防止できる。仕切り板の掛け違えとは、例えば仕切り板の突起を物品移動具の前側及び後側で互いに左右方向にずれた穴に挿入してしまい、所望の位置とは異なる位置に仕切り板が立つ事態をいう。
ところが、近年、店舗の作業員の補充作業の頻度を減らし、且つ欠品の発生を防止するために、奥行きの大きい物品移動具及び陳列棚が求められている。物品移動具及び陳列棚の奥行きが数メートル（ｍ）オーダーまで大きくなると、特許文献１の商品陳列ユニットを用いても、仕切り板の掛け違えを防止できないという問題があった。
【０００７】
本発明は、上記問題を解決するためになされたものであって、奥行きが大きくても仕切り板の掛け違えを防止可能な物品移動具及び陳列棚を提供する。
【課題を解決するための手段】
【０００８】
本発明の物品移動具は、ローラーと、前記ローラーの一部を突出させて前記ローラーを回転自在に収容するローラー収容部材と、前記ローラー収容部材において前記一部が突出している物品移動領域を区切るように前記ローラー収容部材に立てられる仕切り板と、を備え、前記物品移動領域内には前記仕切り板を案内する仕切り板ガイド部が形成されている。
【０００９】
上述の物品移動具によれば、仕切り板の下部が物品移動領域内で仕切り板ガイド部に案内されるので、仕切り板ガイド部を経由して物品移動領域を区切るように仕切り板を立てられる。このことによって、物品移動具の奥行きが大きくなっても、仕切り板を所望の位置に間違いなく立てることができる。仕切り板の前側及び後側の端部に挿入部が設けられ、物品移動領域の前方及び後方のローラー収容部材に挿入部を挿入可能な穴等が複数形成されている場合は、物品移動具の奥行きが大きくなると、１つの仕切り板の挿入部を挿入すべき２つの穴が一目で分かりにくい。上述の物品移動具によれば、物品移動領域の前方及び後方のうち一方のローラー収容部材の穴に仕切り板の一方の挿入部を挿入し、仕切り板の下部を所定の仕切り板ガイド部に配置することによって所定の位置に案内し、物品移動領域の前方及び後方のうち他方のローラー収容部材の穴に仕切り板の他方の挿入部を挿入できる。このように仕切り板を立てることによって、仕切り板の掛け違えを防止できる。
【００１０】
本発明の物品移動具では、前記ローラーは中心軸に沿って間隔をあけて配置可能な複数の小ローラー部を備え、前記小ローラー部同士の間に前記仕切り板ガイド部が形成されていてもよい。
【００１１】
上述の物品移動具によれば、ローラーを製造しやすくなり、小ローラー部同士の間隔を変更して、仕切り板ガイド部の幅を容易に微調整できる。
【００１２】
本発明の物品移動具では、前記仕切り板ガイド部は、前記ローラーの全周にわたって径方向の内側に凹む第１の溝であってもよい。
【００１３】
上述の物品移動具によれば、仕切り板の下部が第１の溝に挿入されることによって、仕切り板ガイド部を経由し、物品移動領域の所望の位置に間違いなく仕切り板を立てられるので、仕切り板の掛け違えを容易に防止できる。
【００１４】
本発明の物品移動具では、前記仕切り板ガイド部は前記仕切り板の下部を受け入れて前記仕切り板を案内するものであってもよい。
【００１５】
上述の物品移動具によれば、物品移動具の奥行きが大きくなっても、仕切り板の下部が物品移動領域の前後方向にわたって仕切り板ガイド部に受け入れられて配置される。このことによって、仕切り板が前後方向に対して所定の位置から外れにくく、曲がりにくくなるので、仕切り板の前後方向の撓みを抑えることができる。
【００１６】
本発明の物品移動具では、前記仕切り板ガイド部が仕切り板ガイド補助部として前記ローラー収容部材に形成されていてもよい。
本発明の物品移動具では、前記ローラー収容部材は、前記ローラーを収容するローラー収容空間が形成されたローラー支持部材と、前記ローラー支持部材に取り付け可能且つ前記ローラー支持部材から取り外し可能であって、前記ローラーの一部を前記ローラー収容部材から突出させた状態で前記ローラーを保持するローラー保持部材と、を備え、前記ローラー支持部材及び前記ローラー保持部材の少なくとも一方に前記仕切り板ガイド部が形成されていてもよい。
【００１７】
上述の物品移動具によれば、ローラー収容部材に仕切り板が案内及び／又は挿入されることによって、物品移動領域の所望の位置に間違いなく仕切り板を立てられるので、仕切り板の掛け違えを防止できる。
【００１８】
本発明の物品移動具では、前記仕切り板ガイド部は、前記仕切り板の長手方向に沿って形成された第２の溝であってもよい。
【００１９】
上述の物品移動具によれば、仕切り板の下部が第２の溝に挿入されることによって、仕切り板ガイド部を経由して物品移動領域の所望の位置に仕切り板を安定させて立てられるので、仕切り板の掛け違えを容易に防止できる。ローラー収容部材の形状に合わせて第２の溝の長さを調整すれば、経由する仕切り板ガイド部の長さを変えられるので、仕切り板の掛け違えを防止しやすくなる。
【００２０】
本発明の物品移動具では、前記ローラー収容部材には、所定の方向において前記物品移動領域をローラー収容空間に区画する小区画壁が設けられ、前記所定の方向において１つの前記ローラー収容空間には１つの前記ローラーが収容されていてもよい。
【００２１】
上述の物品移動具によれば、１つのローラー収容空間に対して１つのローラーが収容されるので、所定の方向におけるローラーの収容位置が安定する。そのことによって、所定の方向における仕切り板ガイド部の位置のずれがなく、仕切り板ガイド部による仕切り板の案内の精度が高まる。
【００２２】
本発明の物品移動具用のローラーは、一部を突出させてローラー収容部材に回転自在に収容され、前記一部が前記ローラー収容部材から突出している物品移動領域を区切るように前記ローラー収容部材に仕切り板が立てられている物品移動具に用いられる物品移動具用のローラーであって、全周にわたって径方向の内側に凹む第１の溝が形成され、前記第１の溝は前記仕切り板の下部を受け入れ可能である。
【００２３】
上述の物品移動具用のローラーによれば、ローラーをローラー収容部材に収容した状態で、第１の溝に仕切り板の下部を挿入して仕切り板を案内することができる。このことによって、仕切り板ガイド部を経由して物品移動領域の所望の位置に間違いなく仕切り板を立てられるので、仕切り板の掛け違えを容易に防止できる。
【００２４】
本発明の物品移動具用のローラー支持部材は、ローラーの一部を突出させて前記ローラーを回転自在に収容するローラー収容部材を構成し、前記一部が前記ローラー収容部材から突出している物品移動領域を区切るように前記ローラー収容部材に仕切り板が立てられている物品移動具に用いられる物品移動具用のローラー支持部材であって、前記ローラーを収容するローラー収容空間が形成され、前記ローラーを前記ローラー収容空間に保持するローラー保持部材を取り付け可能且つ取り外し可能に構成され、前記仕切り板の下部を受け入れ可能な仕切り板ガイド部が形成されている。
本発明の物品移動具用のローラー保持部材は、ローラーの一部を突出させて前記ローラーを回転自在に収容するローラー収容部材を構成し、前記一部が前記ローラー収容部材から突出している物品移動領域を区切るように前記ローラー収容部材に仕切り板が立てられている物品移動具に用いられる物品移動具用のローラー保持部材であって、前記ローラーを収容するローラー収容空間が形成されたローラー支持部材に取り付け可能且つ前記ローラー支持部材から取り外し可能であり、前記仕切り板の下部を受け入れ可能な仕切り板ガイド部が形成されている。
前記仕切り板ガイド部は、前記仕切り板の長手方向に沿って形成された第２の溝として形成されていてもよい。
【００２５】
上述の物品移動具用のローラー支持部材及び物品移動具用のローラー保持部材によれば、ローラーをローラー収容部材に収容した状態で、仕切り板ガイド部に仕切り板の下部を挿入して仕切り板を案内することができる。このことによって、仕切り板ガイド部を経由して物品移動領域の所望の位置に間違いなく仕切り板を立てられるので、仕切り板の掛け違えを容易に防止できる。
仕切り板ガイド部が第２の溝であれば、仕切り板ガイド部を経由して物品移動領域の所望の位置に仕切り板を安定させて立てられるので、仕切り板の掛け違えを容易に防止できる。
【００２６】
本発明の陳列棚は、上述の物品移動具を一以上備えている。
本発明の陳列棚は、上述の物品移動具用のローラー、ローラー支持部材、ローラー保持部材の何れかを一以上備えている。
【００２７】
上述の陳列棚によれば、上述の物品移動具や物品移動具用のローラー、ローラー支持部材、ローラー保持部材の何れかを備えることによって、仕切り板ガイド部或いは第１の溝、第２の溝に仕切り板の下部を挿入して仕切り板を案内することができる。このことによって、物品移動領域の所望の位置に間違いなく仕切り板を立てられるので、仕切り板の掛け違えを容易に防止できる。
【発明の効果】
【００２８】
本発明によれば、奥行きが大きくても仕切り板の掛け違えを防止可能な物品移動具、物品移動具用のローラー、物品移動具用のローラー支持部材、物品移動具用のローラー保持部材、陳列棚が提供される。
【図面の簡単な説明】
【００２９】
【図１】本発明の一実施形態の物品移動具の斜視図である。
【図２】図１に示す物品移動具のローラーの斜視図である。
【図３】図１に示す物品移動具のローラー保持部材の平面図である。
【図４】図１に示す物品移動具のＡ−Ａ線で矢視した断面図である。
【図５】図４に示す物品移動具の微小領域Ｘの拡大図である。
【図６】図１に示す物品移動具のＢ−Ｂ線で矢視した断面図である。
【図７】本発明の一実施形態の陳列棚の斜視図である。
【図８】図７に示す陳列棚の前側の一部の側面図である。
【図９】図２に示すローラーの変形例を示す斜視図である。
【図１０】図１に示す物品移動具の変形例において図６に示すＢ−Ｂ線で矢視した断面図に対応する断面図である。
【発明を実施するための形態】
【００３０】
以下、本発明の物品移動具及び陳列棚の好ましい実施形態について、図面を参照し、説明する。
【００３１】
先ず、本発明の一実施形態の物品移動具及び陳列棚について説明する。
【００３２】
［物品移動具］
図１は、本実施形態の物品移動具１の斜視図である。物品移動具１は、複数のローラー（物品移動具用のローラー）１０と、ローラー収容部材３と、仕切り板５５と、を備える。図１では、わかりやすくするために、物品移動具１の主要な構成を分解して示している。
【００３３】
以下、不図示の購入者が物品移動具１に向かい合った際に、購入者に近い側を前側、使用者から遠い側を後側とし、前側と後側とを結ぶ方向を前後方向Ｄ１とする。物品移動具１を前側から見たときの左側と右側とを結ぶ方向を左右方向Ｄ２とする。前後方向Ｄ１及び左右方向Ｄ２に直交し、上側と下側とを結ぶ方向を上下方向Ｄ３とする。
【００３４】
図２は、ローラー１０の斜視図である。図２に示すように、ローラー１０は、円柱状の本体１１と、軸１２とを有する。軸１２は、本体１１の底面の中心から中心軸１４０に沿って延びている。本体１１の直径は、特定の値に限定されず、本体１１の周面１３上をすべる物品の重量や底面積等を勘案して適切に設定されている。軸１２の直径は、少なくとも本体１１の直径より小さく、ローラー支持部材５の形状等を勘案して適切に設定されている。
【００３５】
本体１１の長さ、即ち本体１１の中心軸１４０に沿った方向の大きさは、物品５０を前後方向Ｄ１に沿って円滑に移動させるために最低限必要とされる周面１３の左右方向Ｄ２の幅を満たし、前述の最低限必要とされる周面１３の幅の１００％以上２００％以下であることが好ましい。
【００３６】
周面１３には、径方向の内側に凹む溝（第１の溝）１５が複数形成されている。図２では、３つの溝１５が例示されている。それぞれの溝１５は、中心軸１４０に沿って幅Ｗ１５を有し、本体１１の全周にわたって形成されている。複数の溝１５は、中心軸１４０に沿って、互いに所定の間隔Ｇ１５をあけて形成されている。
【００３７】
ローラー１０の素材としては、例えばポリアセタール樹脂（ＰＯＭ）が挙げられる。但し、ローラー１０の素材は、物品が周面１３上で止まらずに滑らかに移動できれば、ＰＯＭに限定されない。ローラー１０の摩擦特性を向上させるために、ローラー１０には、シリコーン等の潤滑性を付与するための添加剤等が添加されていてもよい。本体１１を円滑に回転させるために、軸１２の静摩擦係数は、ローラー支持部材５及びローラー保持部材２０の素材の静摩擦係数に対して０．１以上０．５以下程度であることが好ましい。静摩擦係数は、ＩＳＯ  ８２９５で測定した値を示す。
【００３８】
ローラー収容部材３は、ローラー１０の上端部（一部）を突出させ、ローラー１０が回転自在となるようにローラー１０を収容する。ローラー収容部材３は、ローラー支持部材（物品移動具用のローラー支持部材）５と、ローラー保持部材（物品移動具用のローラー保持部材）２０と、を備える。ローラー支持部材５には、ローラー１０を収容するローラー収容空間８が形成されている。ローラー保持部材２０は、ローラー１０の上端部をローラー収容空間８から突出させた状態でローラー１０を保持する。ローラー保持部材２０は、ローラー支持部材５に取り付け可能、且つローラー支持部材５から取り外し可能である。
【００３９】
図１に示すように、ローラー支持部材５は、基板６と、側壁７と、前側仕切り板挿入部１６と、後側仕切り板挿入部１７と、を備える。基板６は、板状に形成され、物品移動具１の大きさに合わせて前後方向Ｄ１及び左右方向Ｄ２に拡がっている。側壁７，７は、基板６の左側及び右側のそれぞれの周縁から上側に立ち上がり、前後方向Ｄ１に沿って延びている。前側仕切り板挿入部１６は、基板６の前側の周縁から上側に立ち上がり、左右方向Ｄ２に沿って延びている。後側仕切り板挿入部１７は、基板６の後側の周縁から上側に立ち上がり、左右方向Ｄ２に沿って延びている。前側仕切り板挿入部１６及び後側仕切り板挿入部１７は、前後方向Ｄ１において後に説明する穴１８，１９を形成可能な長さを有する。
【００４０】
基板６、側壁７、前側仕切り板挿入部１６及び後側仕切り板挿入部１７に囲まれた開口部９は、複数の区画９０に分割されている。１つの区画９０に、１つのローラー保持部材２０が割り当てられる。開口部９が複数の区画９０に分割されることによって、複数のローラー１０やローラー保持部材２０のローラー支持部材５への設置や取り外しを区画９０毎に行うことができ、物品移動具１の取り扱いが容易になる。
【００４１】
開口部９は、後述するように物品が周面１３上を滑りながら移動可能な物品移動領域８８の少なくとも一部を構成し、区画壁６２と区画壁６３によって８つの区画９０に分割されている。区画壁６２は、基板６の上側の表面６１に設けられ、略左右方向Ｄ２に沿って延びている。基板６の上側の表面６１に設けられ、前後方向Ｄ１に沿って延びている。開口部９には、前後方向Ｄ１方向に４つの区画９０があり、左右方向Ｄ２に２つの区画９０がある。
【００４２】
区画壁６２には、前後方向Ｄ１に沿う溝（第２の溝）７７が形成されている。溝７７は、後述するように左右方向Ｄ２の所定の幅を有し、左右方向Ｄ２において所定の間隔をあけて形成されている。図１では、８つの区画９０のうちの１つの区画９０に取り付け可能なローラー保持部材２０と、複数のローラー１０のうち２本のローラー１０とを例示し、その他のローラー保持部材２０及びローラー１０は省略されている。
【００４３】
それぞれの区画９０は、３つの小区画壁６４によって、４つの列に分割されている。３つの小区画壁６４は、左右方向Ｄ２においてローラー１０の長さと略同じ間隔をあけて設けられている。それぞれの列は、ローラー区画壁（小区画壁）６５によって、複数のローラー収容空間８に分割されている。１つのローラー収容空間８に対して、１つのローラー１０が収容されている。つまり、少なくとも左右方向（所定の方向）Ｄ２において、物品移動領域８８は、区画壁６３及び小区画壁６４によって、複数のローラー収容空間８に区画されている。本実施形態では、前後方向Ｄ１においても、物品移動領域８８は、区画壁６２及びローラー区画壁６５によって、複数のローラー収容空間８に区画されている。各々のローラー収容空間８は、中心軸１４０に沿った方向のローラー１０の大きさと同じ大きさ及び中心軸１４０に沿った方向に直交する方向のローラー１０の大きさと同じ大きさを有する。
【００４４】
ローラー収容空間８には、基板６を貫通する貫通孔６８が形成されている。ローラー収容空間８の左右方向Ｄ２の両端には、軸支持部６６が設けられている。ローラー収容空間８にローラー１０が収容されると、周面１３が軸支持部６６の上側の表面に接した状態で軸１２が軸支持部６６に支持され、本体１１の軸１２より下側が貫通孔６８に露出する。
【００４５】
区画壁６２と前側仕切り板挿入部１６及び後側仕切り板挿入部１７において、各区画９０に露出する壁面には、各区画９０から突出する側に凹む凹部３２が形成されている。凹部３２の凹む方向の先端には、上側に向かってさらに凹む凹部３４が形成されている。
【００４６】
側壁７は、前後方向Ｄ１に沿って前側仕切り板挿入部１６と後側仕切り板挿入部１７とを接続することによって、梁材の機能を有する。つまり、側壁７は、ローラー支持部材５の自重による撓み等で生じる曲げ応力を負担する。例えば、側壁７の一方の端部を水平な台等に載せた際の自重による他方の端部の撓みが抑えられる。梁材としての機能を発揮させるために、側壁７の左右方向Ｄ２の大きさは、区画壁６２の前後方向Ｄ１の大きさ、又は前側仕切り板挿入部１６と後側仕切り板挿入部１７の前後方向Ｄ１の大きさよりも大きいことが好ましい。側壁７の高さは、側壁７の上側の表面がローラー収容空間８に収容されたローラー１０の本体１１の最上端より低くなるように、適切に設定されている。
【００４７】
一方の側壁７において物品移動具１の外周側の表面には、左右方向Ｄ２に沿って突出する連結部３８が設けられている。連結部３８の先端部には、先端部から上側に向けて突出する爪部が設けられている。他方の側壁７において物品移動具１の外周側の表面には、左右方向Ｄ２に凹む被連結部３９が形成されている。被連結部３９は、別の物品移動具の連結部３８を嵌めて物品移動具同士を接続できるように、連結部３８の形状に合わせて形成されている。
【００４８】
前側仕切り板挿入部１６の上側の表面には、左右方向Ｄ２に沿って、所定の間隔Ｇ１８をあけて、穴１８が複数形成されている。穴１８は、前後方向Ｄ１に沿って、所定の長さＬ１８にわたって形成されている。前側仕切り板挿入部１６の下側の表面には、上側に凹むように切欠４９が形成されている。
【００４９】
後側仕切り板挿入部１７の上側の表面には、左右方向Ｄ２に沿って、穴１８と同じ間隔Ｇ１８をあけて、穴１９が複数形成されている。穴１９は、前後方向Ｄ１に沿って、所定の長さＬ１９にわたって形成されている。１つの穴１８に対して、左右方向Ｄ２において重なる１つの穴１９が存在する。
【００５０】
図３は、ローラー保持部材２０の平面図である。ローラー保持部材２０は、図１に示す区画９０と同様の平面視形状及び大きさを有する本体２１で構成されている。ローラー保持部材２０には、区画９０に収容されるローラー１０の数と同数のローラー貫通穴２８が形成されている。図１に示すように、ローラー貫通穴２８は、ローラー保持部材２０をローラー支持部材５に取り付けた状態で、平面視において、ローラー収容空間８と重なる位置に形成されている。つまり、ローラー保持部材２０は、区画９０の輪郭と同様の平面視形状及び大きさを有する枠部４１と、枠部４１内の開口部４２を４つの空間列に分割する３つの小区画壁４４と、それぞれの空間列をローラー貫通穴２８に分割する複数のローラー区画壁４８と、を備える。ローラー保持部材２０が区画９０に取り付けられると、平面視において、小区画壁４４，６４は互いに重なり、ローラー区画壁４８，６８は互いに重なる。
【００５１】
枠部４１のうち左右方向Ｄ２に沿って延びる枠部５１と複数のローラー区画壁４８は、前側から後側に向かうに従って一旦上側に向かって凸となるように湾曲し、その後湾曲したままで下降する。枠部４１のうち前後方向Ｄに沿って延びる枠部５２は、ローラー収容空間８に遠い側から近い側に向かうに従って一旦上側に向かって凸となるように湾曲し、その後湾曲したままで下降する。枠部４１やローラー区画壁４８が前述のように湾曲形状を有することによって、区画９０にローラー１０及びローラー保持部材２０を取り付けた状態でローラー１０をすべる物品に当たる枠部４１やローラー区画壁４８の面積が最小限に抑えられる。このことによって、物品が列の途中で止まりにくくなる。
【００５２】
枠部５１には、溝７５が形成されている。ローラー区画壁４８には、溝７６が形成されている。左右方向Ｄ２において、溝７５，７６，７７の中心は、ローラー収容空間８に収容されたローラー１０の溝１５の中心と重なる位置に形成されている。左右方向Ｄ２において、溝７５，７６は後述するように所定の幅を有し、複数の溝７５，７６は互いに所定の間隔Ｇ１５をあけて形成されている。
【００５３】
枠部５１には、前側又は後側に突出する突起２２が設けられている。突起２２の先端には、上側に立ち上がる爪２４が設けられている。
【００５４】
図４は、物品移動具１の区画９０の範囲をＡ−Ａ線で矢視した断面図である。ローラー保持部材２０の最上端と、区画壁６２の上側の表面、側壁７と前側仕切り板挿入部１６及び後側仕切り板挿入部１７のそれぞれの上側の表面は、略同じ高さになっている。図４に示すように、ローラー１０がローラー収容空間８に収容され、ローラー保持部材２０が区画９０に取り付けられると、本体１１の軸１２より上側がローラー貫通穴２８を貫通する。中心軸１４０に沿って本体１１を側面視（即ち、底面視）すると、本体１１の上端部は、ローラー保持部材２０の上方に突出する。ローラー１０のローラー保持部材２０からの突出量は、物品移動具１に載置された物品を後側から前側に向かって円滑に移動できれば、特に制限されない。ローラー保持部材２０からのローラー１０の突出高さは、例えば、本体１１の直径の１．５％以上１５．０％以下であることが好ましく、ローラー収容空間８の深さやローラー保持部材２０の厚み等を制御することによって調整されている。
【００５５】
図５は、図４に示す微小領域Ｘの拡大図である。図５に示すように、突起２２が凹部３２に挿入され、さらに爪２４が凹部３４に引っかかることによって、ローラー保持部材２０がローラー支持部材５の区画９０に取り付けられている。爪２４の側面２５が凹部３４の側壁３５に接しているので、ローラー保持部材２０がローラー支持部材５から外れにくい。ローラー保持部材２０がローラー支持部材５に取り付けられた状態で、物品移動具１が前後方向Ｄ１において湾曲するように撓んでも、側面２５が接点Ｃで側壁３５に押し付けられ、爪２４が凹部３４から外れにくくなる。このように爪２４が凹部３４から外れないことによって、ローラー保持部材２０がローラー支持部材５に取り付けられた状態が確実に保たれ、ローラー１０の散在が防止される。
【００５６】
図１及び図７に示すように、ローラー保持部材２０からローラー１０が突出している領域は、物品移動領域８８になっている。物品移動領域８８は、ローラー１０が突出している局所部分のみを意味しておらず、局所部分も含めて、物品が周面１３上を滑りながら移動可能な領域全体を意味する。物品移動領域８８は、ローラー１０の上方、ローラー１０が突出している局所部分の間や周囲のローラー保持部材２０の上方、区画壁６２，６３の上方、側壁７の上方をすべて含む。
【００５７】
ローラー支持部材５及びローラー保持部材２０の素材としては、例えばＰＯＭ、ポリフェニレンサルファイド（ＰＰＳ）、高衝撃性ポリスチレン（ＨＩＰＳ）、ポリカーボネート（ＰＣ）等が挙げられる。ローラー支持部材５及びローラー保持部材２０の素材は、物品移動具１を薄型化でき、前後方向Ｄ１や左右方向Ｄ２における撓みに対して強く、且つローラー１０を円滑に回転できれば、前述の樹脂以外の素材であってもよく、ＰＯＭ等に限定されない。
【００５８】
仕切り板５５は、前後方向Ｄ１に沿って穴１８から穴１９に達する長尺な板状部材である。仕切り板５５の前側の端部には、下側に突出する前側挿入部５６が設けられている。前側挿入部５６は、前後方向Ｄ１において穴１８と同程度又は穴１８より短く形成され、穴１８に挿入可能である。仕切り板５５の後側の端部には、下側に突出する後側挿入部５７が設けられている。後側挿入部５７は、前後方向Ｄ１において穴１９と同程度又は穴１９より短く形成され、穴１９に挿入可能である。
【００５９】
図１に示すように、前側挿入部５６と後側挿入部５７との間の仕切り板５５の長手方向の中央下端部には、補助挿通部（下部）５８が設けられている。図６に示すように、補助挿通部５８の左右方向Ｄ２の幅は、補助挿通部５８より上側の仕切り板５５の左右方向Ｄ２の幅より小さい。穴１８及び穴１９に前側挿入部５６及び後側挿入部５７を挿入した状態において、補助挿通部５８が溝１５，７５，７６，７７の内部に位置している。
【００６０】
仕切り板５５の厚み、即ち、仕切り板５５の左右方向Ｄ２の厚みは、例えば１．０ｍｍ以上２．０ｍｍ以下であることが好ましい。仕切り板５５の素材としては、例えばアルミ、アクリル、プラスチック等が挙げられる。補助挿通部５８の左右方向Ｄ２の幅は、補助挿通部５８より上側の仕切り板５５の厚みの２０％以上４５％以下、０．３ｍｍ以上０．８ｍｍ以下であることが好ましい。
【００６１】
上述の各構成を備えた物品移動具１は、図１に示すように前後方向Ｄ１にわって長尺に形成され、５００ｍｍ以上７００ｍｍ以下の長さＬ１を有する。前後方向Ｄ１において、穴１８，１９の間の物品移動具１には、仕切り板５５の下部を受け入れて案内する仕切り板ガイド部９５が形成されている。本実施形態の物品移動具１では、仕切り板ガイド部９５が溝１５，７５，７６，７７で構成され、補助挿通部５８が溝１５の内部に位置している。
【００６２】
幅Ｗ１５は、仕切り板５５の厚みの２５％以上５０％以下、０．５ｍｍ以上１．０ｍｍ以下であることが好ましい。幅Ｗ１５は、補助挿通部５８の左右方向Ｄ２の幅Ｗ５８より大きいことが好ましく、幅Ｗ５８の１００％より大きく１２０％以下であることが好ましい。幅Ｗ１５が幅Ｗ５８の１００％より大きいことによって、補助挿通部５８の側面１５８が溝１５の側面１５１から離れ、本体１１が円滑に回転する。幅Ｗ５８に対して幅Ｗ１５が大きくなる程、溝１５によって補助挿通部５８を案内する精度が低下するが、幅Ｗ１５が幅Ｗ５８の１２０％以下であることによって、前述の精度の低下が抑えられ、且つ物品移動領域８８において仕切り板５５が安定して立つ。また、幅Ｗ１５が幅Ｗ５８の１２０％以下であることによって、仕切り板５５が左側又は右側に撓みかけても、側面１５８が側面１５１に当たり、仕切り板５５の大きな撓みが防止される。
【００６３】
幅Ｗ１５は、周面１３に接する物品の表面に突出する部分がある場合、幅Ｗ１５は、前述の突出部分の幅より小さいことが好ましい。例えば、後に説明する物品５０が飲料用の缶であれば、図７に示すように、物品５０には下側に突出する突出部分５３がある。突出部分５３は、前後方向Ｄ１や左右方向Ｄ２において１ｍｍ程度の大きさを有する。その場合、幅Ｗ１５は、突出部分５３の前後方向Ｄ１や左右方向Ｄ２の大きさより小さいことが好ましい。穴１８，１９のそれぞれの左右方向Ｄ２の幅は、幅Ｗ１５と同程度であることが好ましい。
【００６４】
溝１５の周面１３からの径方向の深さＥ１５は、穴１８，１９に前側挿入部５６及び後側挿入部５７を挿入した状態で、補助挿通部５８の下面１５９が溝１５の下面１５２から離れるように、補助挿通部５８の上下方向Ｄ３の高さに合わせて適宜設定されている。幅Ｗ１５及び深さＥ１５が前述のように設定されることによって、穴１８，１９に前側挿入部５６及び後側挿入部５７を挿入した状態で、補助挿通部５８の側面１５８が溝１５の側面１５１から離れ、且つ下面１５９が下面１５２から離れるので、本体１１が円滑に回転する。但し、下面１５９が下面１５２に接していても本体１１の回転が妨げられない場合は、下面１５９が下面１５２に接していてもよい。その場合は、上下方向Ｄ３において仕切り板５５が下面１５２で支持され、仕切り板５５の前後方向Ｄ１における撓みが防止される。
【００６５】
溝７５，７６，７７の左右方向Ｄ２の幅は、少なくとも幅Ｗ１５以下であり、幅Ｗ５８と略同じであることが好ましい。少なくとも、溝７７の左右方向Ｄ２の幅は、幅Ｗ５８と略同じであることが好ましい。溝７５，７６，７７の幅が幅Ｗ５８より大きく幅Ｗ１５以下であれば、少なくとも溝１５，７５，７６，７７の内部に補助挿通部５８を位置させることができ、溝７５，７６，７７の案内機能が発揮される。溝７５，７６，７７の幅が幅Ｗ５８と同じであれば、穴１８，１９に前側挿入部５６及び後側挿入部５７を挿入した状態で、補助挿通部５８が溝７５，７６，７７に嵌まる。このことによって、図６に示すように、仕切り板５５が溝７５，７６，７７に案内されることに加え、溝７５，７６，７７に支持されるので、仕切り板５５が安定して物品移動領域８８に立ち、前後方向Ｄ１における撓みが良好に抑えられる。
【００６６】
間隔Ｇ１５は、１ｍｍ以上１２ｍｍ以下であることが好ましい。穴１８，１９のそれぞれの左右方向Ｄ２の間隔は、間隔Ｇ１５と同程度である。左右方向Ｄ２において重なる穴１８，１９を前後方向に沿って結ぶ直線と溝１５，７５，７６，７７は、互いに重なっている。言い換えれば、溝１５，７５，７６は、左右方向Ｄ２で重なる穴１８，１９を前後方向に沿って結ぶ直線と平面視において重なっている。左右方向Ｄ２で重なる穴１８，１９に前側挿入部５６及び後側挿入部５７を挿入すると、複数の溝１５，７５，７６，７７のうちの１つの溝１５，７５，７６が仕切り板５５と平面視において重なり、仕切り板５５の長手方向に沿って、補助挿通部５８が１つの溝１５，７５，７６，７７に受け入れられる。
【００６７】
［陳列棚］
図７は、本発明の一実施形態の陳列棚８０の斜視図である。図７に示すように、陳列棚８０は、上下方向Ｄ３において所定の間隔をあけて配置された複数の棚６０に、複数の物品移動具１を備える。図７では、左右方向Ｄ２において２つの物品移動具１が連結され、棚６０に置かれた陳列棚８０を示している。１つの棚６０において互いに連結させる物品移動具１の数、及び、棚６０の数は、物品５０の総量、陳列棚８０の全体の大きさ、形状、陳列棚を収容する冷蔵庫の大きさ等を勘案して適切に設定されている。
【００６８】
物品５０は、例えば清涼飲料水等の液体を収容した缶であるが、缶に限定されず、ペットボトルやラッピングされた食品等、陳列可能なものを広く含む。
【００６９】
物品５０を物品移動領域８８で円滑に移動させるために、棚６０は、前側に移動するにしたがって下降するように、適度に傾斜している。前側の物品５０が物品移動具１から取り除かれると、物品５０が取り除かれたことによって生じる空間に、図７の矢印で示すように、後側の別の物品５０が複数のローラー１０をすべりながら自然に移動する。
【００７０】
図８は、陳列棚８０の前側の一部の側面図である。図８に示すように、陳列棚８０の前側の端部には、ストッパー７２が設けられている。ストッパー７２は、差し部７３と止め部７４とを備える。差し部７３は、切欠４９に挿入され、棚６０とローラー支持部材５との間に挟まれている。止め部７４は、差し部７３の前側の端部から、上側且つ差し部７３に対して略垂直に立ち上がっている。止め部７４は、最も前側にある物品５０が物品移動具１より前側に落ちないようにするためのストッパーであり、物品５０の種類や価格を提示するプレートの取り付け部材としても機能する。
【００７１】
以上説明した本実施形態の物品移動具１は、ローラー１０と、ローラー収容部材３と、仕切り板５５と、を備える。物品移動具１では、物品移動領域８８内に仕切り板ガイド部９５が形成されている。
物品移動具１によれば、左右方向Ｄ２で重なる穴１８，１９に前側挿入部５６及び後側挿入部５７を挿入する際に、補助挿通部５８が物品移動領域８８において仕切り板ガイド部９５に案内され、複数の溝１５，７５，７６，７７のうちの１つの溝１５，７５，７６，７７と補助挿通部５８が少なくとも左右方向Ｄ２において重なっている。実際には、左右方向Ｄ２で重なる穴１８，１９の一方に、前側挿入部５６及び後側挿入部５７の一方を挿入し、穴１８，１９の一方と左右方向Ｄ２で重なる複数の溝１５，７５，７６，７７を任意の順になぞるように仕切り板５５の位置を合わせ、左右方向Ｄ２で重なる穴１８，１９の他方に、前側挿入部５６及び後側挿入部５７の他方を挿入できる。このようにすれば、左右方向Ｄ２における所望の位置で物品移動領域８８を区切るように、仕切り板５５を掛け違えることなく前後方向Ｄ１に沿って真っ直ぐに立てることができる。物品移動具の奥行きが大きくなると、左右方向Ｄ２において重なる穴１８，１９を一目で判別しにくくなるが、穴１８，１９の一方から仕切り板５５を立てるべき位置にある溝１５，７５，７６，７７を経由しつつ、穴１８，１９の他方に至ることによって、仕切り板５５の掛け違いを防止できる。
【００７２】
本実施形態の物品移動具１及びローラー１０では、ローラー１０に溝１５が形成されているので、補助挿通部５８を溝１５に位置させつつ、物品移動領域８８の所望の位置に間違いなく仕切り板５５を立てて、仕切り板５５の掛け違えを容易に防止できる。本実施形態では、複数のローラー１０が前後方向Ｄ１に沿って物品移動領域８８に隣接しているので、補助挿通部５８が多数の溝１５に案内され、仕切り板５５の掛け違い及び前後方向Ｄ１の撓みを確実に防止できる。
【００７３】
本実施形態の物品移動具１では、幅Ｗ１５が幅Ｗ５８の１００％より大きく、１２０％以下であるため、側面１５８が側面１５１から離れ、本体１１を補助挿通部５８に接触させずに円滑に回転させることができる。また、幅Ｗ１５が幅Ｗ５８の１２０％以下であることによって、幅Ｗ１５，Ｗ５８の差を幅Ｗ５８の２０％以下に抑え、補助挿通部５８を所定の位置に案内する精度を高く保ち、仕切り板５５の掛け違いを防止すると共に、所定の位置からの仕切り板５５のずれを抑えることができる。また、幅Ｗ１５，Ｗ５８の差を幅Ｗ５８の２０％以下に抑えることによって、仕切り板５５を安定して立たせ、仕切り板５５が左側又は右側に撓みかけても、その際に側面１５８が初めて接触する側面１５１によって仕切り板５５の撓みを止めることができ、仕切り板５５の前後方向Ｄ１における大きな撓みを防止できる。
【００７４】
本実施形態の物品移動具１では、仕切り板ガイド部９５は補助挿通部５８を受け入れて仕切り板５５を案内する。溝１５，７５，７６，７７に補助挿通部５８が受け入れられることによって、仕切り板５５が物品移動領域８８において左右方向Ｄ２に倒れかける、あるいは物品５０等に押されて撓みかけたときに溝１５，７５，７６，７７の内側に当たって溝１５，７５，７６，７７に支えられる。このことによって、前後方向Ｄ１において仕切り板５５の撓みを防止し、仕切り板５５で所定の通りに仕切られた物品移動領域８８において物品５０を円滑に移動させ、物品５０の列を保つことができる。
【００７５】
本実施形態の物品移動具１では、溝７５，７６，７７が仕切り板ガイド補助部としてローラー収容部材に形成されていてもよい。その場合、溝７５，７６，７７の大きさや深さを調節して仕切り板５５を案内する機能に加えて支持する機能等を付与でき、溝１５には仕切り板５５の案内する機能を発揮させつつローラー１０の回転を円滑にできる。
【００７６】
本実施形態の物品移動具１では、ローラー収容部材３は、ローラー１０を収容可能なローラー支持部材５と、ローラー支持部材５に取り付けられてローラー１０がローラー支持部材５に収容され且つ支持された状態を保持するローラー保持部材２０と、を備える。ローラー支持部材５及びローラー保持部材２０には、仕切り板ガイド部９５が形成されている。物品移動具１、ローラー支持部材５及びローラー保持部材２０によれば、補助挿通部５８を仕切り板ガイド部９５に位置させつつ、物品移動領域８８の所望の位置に間違いなく仕切り板５５を立てて、仕切り板５５の掛け違えを容易に防止できる。
【００７７】
本実施形態の物品移動具１では、仕切り板ガイド部９５として、ローラー支持部材５に溝７７が形成され、ローラー保持部材２０に溝７５，７６が形成されている。したがって、補助挿通部５８を溝７５，７６，７７に位置させつつ、物品移動領域８８の所望の位置に間違いなく仕切り板５５を立てて、仕切り板５５の掛け違えを容易に防止できる。
【００７８】
本実施形態の物品移動具１では、溝７５，７６，７７の左右方向Ｄ２の幅が幅Ｗ５８と同じである場合、穴１８，１９に前側挿入部５６及び後側挿入部５７を挿入した状態で、補助挿通部５８を溝７５，７６，７７に嵌めることができる。このことによって、図６に示すように、補助挿通部５８が溝７５，７６，７７に案内されることに加え、溝７５，７６，７７に支持されるので、仕切り板５５を安定して物品移動領域８８に立てて、前後方向Ｄ１における仕切り板５５の撓みを良好に抑えることができる。上述のように幅Ｗ１５が幅Ｗ５８の１００％より大きく１２０％以下であれば、図６に示すように、本体１１の回転を妨げることなく、補助挿通部５８を溝７５，７６，７７において支持できる。
【００７９】
本実施形態の物品移動具１では、ローラー支持部材５には小区画壁６４が設けられ、左右方向Ｄ２において１つのローラー収容空間８には１つのローラー１０が収容されている。１つのローラー収容空間８に対して１つのローラー１０が収容されるので、左右方向Ｄ２におけるローラーの収容位置を安定させることができる。そのことによって、左右方向Ｄ２における仕切り板ガイド部９５の位置のずれがなく、仕切り板ガイド部９５による仕切り板５５の案内の精度を高めることができる。
【００８０】
本実施形態のローラー１０、ローラー支持部材５及びローラー保持部材２０では、上述の物品移動具１と同様に、補助挿通部５８が物品移動領域８８において仕切り板ガイド部９５に案内され、具体的には溝１５，７５，７６，７７の内部に補助挿通部５８が位置している。このことによって、仕切り板５５の掛け違い及び前後方向Ｄ１における仕切り板５５の撓みを防止できる。
【００８１】
本実施形態の陳列棚８０は、物品移動具１を備えているので、上述したように補助挿通部５８を仕切り板ガイド部９５に位置させつつ、物品移動領域８８の所望の位置に間違いなく仕切り板５５を立てて、仕切り板５５の掛け違えを容易に防止できる。また、本実施形態のように穴１８，１９の一方から溝１５，７５，７６，７７を経由しつつ、補助挿通部５８をこれらの溝の内部に配置して穴１８，１９の他方に至ることによって、仕切り板５５の掛け違いを防止できる。
【００８２】
本実施形態の上述した補助挿通部５８は仕切り板５５の前後方向Ｄ１の中央部に１つ設けたものであるが、前後方向Ｄ１の長さは溝１５，７５，７６に架かる程度であればよく、溝１５，７５，７６，７７の何れかのみに架かる長さであってもよい。また、補助挿通部５８は本実施形態では１つのみ設けられているが、前側挿入部５６と後側挿入部５７との間に複数、独立して設けられてもよく、前側挿入部５６と後側挿入部５７との間に連続して設けられてもよい。補助挿通部５８が設けられる位置は、仕切り板５５の前後方向Ｄ１の中央部でなくてもよい。
【００８３】
＜その他の実施形態＞
図９は、ローラー１０の変形例であるローラー１１０の斜視図である。上述の実施形態の物品移動具１は、図２に示すローラー１０に替えて、図９に示すローラー１１０を備えていてもよい。ローラー１１０においてローラー１０と同様に作用する構成、溝及び寸法には、ローラー１０の各構成、溝及び寸法と同じ符号を付し、その説明を省略する。
【００８４】
ローラー１１０は、中心軸１４０に沿って間隔をあけて配置可能な複数の小ローラー部１２０を備える。小ローラー部１２０は、本体１１と同程度の直径を有し、中心軸１４０に沿って間隔Ｇ１５と同程度の長さを有する。小ローラー部１２０の周面は、周面１３を構成する。複数の小ローラー部１２０同士の間には、仕切り板ガイド部９５として溝１５が形成されている。即ち、中心軸１４０に沿う方向において、小ローラー部１２０同士の間隔は、幅Ｗ１５と同じである。
【００８５】
複数の小ローラー部１２０のうち、一部の小ローラー部１２０のみが中心軸１４０に沿う軸方向に移動可能であってもよい。図９では、４つの小ローラー部１２０のうち、２つの小ローラー部１５０が軸方向に移動可能である。
【００８６】
小ローラー部１２０は、本体１２１と、軸１１４と、軸受部１１６と、を備える。本体１２１は、軸１１４は、軸１４と同程度の直径を有し、本体１２１の一方の底面１２６の中心から中心軸１４０に沿って軸１４と同程度の長さで延びている。軸受部１１６は、軸１４より大きく、且つ本体１２１より小さい直径を有し、本体１２１の他方の底面１２７の中心から中心軸１４０に沿って幅Ｗ１４と同程度の長さで延びている。本体１２１の直径と軸受部１１６の直径との差は、ローラー１０の溝１５の周面１３からの径方向の深さに相当する。軸受部１１６の先端面１１７には、軸受部１１６の内部を貫通して本体１２１の内部に到達する凹部１２８が形成されている。凹部１２８には、別の小ローラー部１２０の軸１１４が挿入可能である。但し、中心軸１４０の周方向に回転可能な小ローラー部１５０においては、軸１１４の直径は別の小ローラー部１２０の凹部１２８の内径より小さく、軸１１４を別の小ローラー部１２０の凹部１２８に挿入しても軸１１４及び本体１２１が周方向に回転可能になっている。凹部１２８の深さは、軸１１４の長さと同程度である。
【００８７】
１つの小ローラー部１２０の凹部１２８に、別の小ローラー部１２０の軸１１４を完全に挿入し、先端面１１７に底面１２６が当たっている状態にすると、中心軸１４０に沿って底面１２６，１２７の間に溝１５が形成される。このようにして複数の小ローラー部１２０を中心軸１４０に沿って連結し、開放されている凹部１２８に軸１２９を挿入すると、ローラー１０と同様の形状を有するローラー１１０になる。つまり、ローラー１１０は、中心軸１４０に沿う方向において小ローラー部１２０に分解できる。なお、中心軸１４０の軸方向に移動しない小ローラー部１２０は、分解不能であってもよく、図９に示すように１つの小ローラー部１２０の凹部１２８（図示略）に別の小ローラー部の軸１１４（図示略）が挿入された状態と同様の形状で一体的に予め構成されていてもよい。
【００８８】
上述の変形例のように、複数の小ローラー部１２０を備えるローラー１１０によれば、ローラー１１０を中心軸１４０に沿って少なくとも部分的に分解することができ、小ローラー部１２０同士の間隔を変更して幅Ｗ１５を容易に微調整できる。
【００８９】
即ち、ローラー１１０は、軸方向に移動できる小ローラー部を有していればよい。
さらに他の実施例として、１本の軸に回転自在に複数個の小ローラー部を回転自在に設けてもよい。これにより、補助挿通部５８が小ローラー部に接触して１個又は２個の小ローラー部の回転を妨げた場合であっても、同一の軸に設けられた他の小ローラー部は回転することができる。そのため、物品移動領域８８の補助挿通部５８が設けられた左右方向Ｄ２の領域においてローラーが回転しない、又はローラーを設けない領域を少なくすることができる。
【００９０】
ローラー１１０において、小ローラー部１５０の数は、物品５０の左右方向Ｄ２の大きさを勘案し、物品５０を前後方向Ｄ１に沿って円滑に移動させるために最低限必要とされる周面１３の幅を満たす数以上であればよい。ローラー１１０において、全ての小ローラー部１５０が中心軸１４０の周方向に回転可能であっても構わない。
【００９１】
ローラー１１０において、周方向に回転しない小ローラー部１２０同士の間の溝１５では、図１０に示すように、溝１５の周面１３からの径方向の深さＥ１５は、穴１８，１９に前側挿入部５６及び後側挿入部５７を挿入した状態で、補助挿通部５８の下面１５９が溝１５の下面１５２に接するように、補助挿通部５８の上下方向Ｄ３の高さに合わせて適宜設定されていることが好ましい。幅Ｗ１５が幅Ｗ５８の１００％より大きく１２０％以下であって、深さＥ１５が前述のように設定されることによって、穴１８，１９に前側挿入部５６及び後側挿入部５７を挿入した状態で、側面１５８が溝１５における底面１２６，１２７から離れ、且つ下面１５９が下面１５２に接する。このことによって、本体１１が円滑に回転する。但し、下面１５９が下面１５２に接していても本体１２１の回転が妨げられない場合は、回転可能な小ローラー部１２０の下面１５２に下面１５９が接していてもよい。下面１５９が下面１５２に接することによって、上下方向Ｄ３において仕切り板５５が下面１５２で支持され、仕切り板５５の前後方向Ｄ１における撓みが防止される。
【００９２】
上述の実施形態では、ローラー１０、ローラー支持部材５及びローラー保持部材２０の全てに仕切り板ガイド部９５が形成されている。上述の実施形態の別の変形例として、例えば、仕切り板５５を立てる位置に合わせてローラー支持部材５に区画壁６３が設けられ、区画壁６３に前後方向Ｄ１に沿って溝（第２の溝）が形成されていてもよい。このような構成においても、穴１８，１９の一方から区画壁６３に形成された溝を経由しつつ、仕切り板５５の補助挿通部５８をこの溝に挿入して穴１８，１９の他方に至ることによって、仕切り板５５の掛け違いを防止できる。
【００９３】
また、ローラー１０、ローラー支持部材５及びローラー保持部材２０のうちの１つの部材のみに仕切り板ガイド部９５が形成されていてもよい。ローラー１０に仕切り板ガイド部９５が形成されていることによって仕切り板５５の掛け違いを防止できる効果が高め、ローラー支持部材５及びローラー保持部材２０からなるローラー収容部材３に仕切り板支持補助部として仕切り板ガイド部９５が形成されていることによって仕切り板５５の掛け違いを防止できる効果がより一層高めることができる。
【００９４】
以上では、本発明の実施形態の物品移動具、物品移動具用のローラー、物品移動具用のローラー支持部材、物品移動具用のローラー保持部材、陳列棚について説明したが、本発明は、上述の実施形態に限定されない。本発明は、特許請求の範囲内に記載された本発明の要旨の範囲内において、変更可能である。また、上述の実施形態及び変形例は適宜組み合わせ可能である。
【００９５】
例えば、複数のローラー１０及びローラー収容部材３の取り扱いが容易、且つ物品移動具１の組み立てが容易で特に問題がなければ、開口部９に対して、１つの区画９０及び１つのローラー保持部材２０が配されていてもよく、９以上のローラー保持部材２０が配されていてもよい。即ち、１つのローラー支持部材５に対して配されるローラー保持部材２０の数は特に限定されず、物品移動具１の製造条件、陳列棚８０の大きさ、形状等を勘案して適切に設定されればよい。
【００９６】
また、上述の各実施形態では、仕切り板ガイド部９５や仕切り板ガイド補助部として、ローラー１０，１１０、ローラー収容部材３に溝が形成されていることを説明したが、本発明の仕切り板ガイド部は掛け違い防止の目印としてのガイドの機能を発揮できればよく、仕切板に補助挿通部５８が設けられない場合であってもよい。さらに好ましくは、仕切り板ガイド部は、仕切り板の下部を受け入れ可能に形成されていればよく、溝に限定されず、仕切り板を案内するものを全て含む。例えば、仕切り板ガイド補助部として、ローラー収容部材３に孔が形成され、仕切り板５５の下部に下側に突出する突起が形成され、孔が突起を受け入れてもよい。
【００９７】
さらに、仕切り板の下部を受け入れ可能に形成され、仕切り板を支持できれば、仕切り板ガイド部の形状や大きさは適宜変更できる。例えば、上述の実施形態では、仕切り板５５の下部に補助挿通部５８が設けられていたが、仕切り板の上部の左右方向Ｄ２の厚みが十分に薄く、０．３ｍｍ以上０．８ｍｍ以下程度であれば、仕切り板の左右方向Ｄ２の幅は上下方向Ｄ３に沿って均一であってもよい。そのような仕切り板の下部が仕切り板ガイド部に案内されることによって、上述の実施形態と同様の効果が得られる。
【符号の説明】
【００９８】
１…物品移動具
８…ローラー収容空間
１０，１１０…ローラー
３…ローラー収容部材
５…ローラー支持部材
１５…溝（第１の溝）
２０…ローラー保持部材
５８…補助挿通部（下部）
７５，７６，７７…溝（第２の溝）
９５…仕切り板ガイド部
９８…挿通部（下部）
１２０，１５０…小ローラー部
１４０…中心軸
【図１】
2020048937.tif 000003
【図２】
2020048937.tif 000004
【図３】
2020048937.tif 000005
【図４】
2020048937.tif 000006
【図５】
2020048937.tif 000007
【図６】
2020048937.tif 000008
【図７】
2020048937.tif 000009
【図８】
2020048937.tif 000010
【図９】
2020048937.tif 000011
【図１０】
2020048937.tif 000012